(57)【特許請求の範囲】
【請求項１】
机の後部に立設した左右１対の支柱の上端に、両支柱同士を連結する水平支持板を設け、この水平板上に、キャビネットを前後位置調節可能として取付け、かつ机の後端に、デスクトップパネルを立設し、キャビネットを、その後面が前記デスクトップパネルの後面とほぼ同一面をなす位置、もしくはそれよりも後方に位置するように調節可能としたことを特徴とする懸架キャビネット付き机。
【請求項２】
水平板の後端と机の後端とを、ほぼ同一垂直面上に整合させてなる請求項１記載の懸架キャビネット付き机。
【請求項３】
机を背中合わせに配置し、かつそれらの突合せ部の中央にデスクトップパネルを立設し、各机の上方におけるキャビネットを、それらの後面が前記デスクトップパネルの厚さのほぼ半分の位置まで移動するように調節可能とした請求項１または２記載の懸架キャビネット付き机。
【発明の詳細な説明】
【０００１】
【発明の属する技術分野】
本発明は、机の後端部上方にキャビネットを架設してなる懸架キャビネット付き机に関する。
【０００２】
【従来の技術】
例えば前面にフラップドアを備えるキャビネットを、机の後部に設けた左右１対の支柱をもって支持した懸架キャビネット付き机は公知である。
【０００３】
しかし、従来のこの種懸架キャビネット付き机においては、キャビネットは、１つの位置に固定的に取付けられているものが殆どであった。
【０００４】
【発明が解決しようとする課題】
上述のように、キャビネットが机の上方で固定的に取付けられていると、次のような不都合が生じる。
【０００５】
例えば机の天板の後端に、デスクトップパネルが、キャビネットの後面よりも後方に位置するようにして立設されている場合、２個の机を背中合わせに配置したり、机を壁面に沿うように配置したりした際に、キャビネット同士の間や、キャビネットと壁面との間に、デスクトップパネルの厚さ分、もしくはそれ以上の隙間が形成されてしまう。
【０００６】
そのため、単に見栄えが悪くなるだけでなく、背中合わせとしたキャビネット同士を結合したり、キャビネットを壁面等に固定したりする際に、それらを強固に結合することは困難である。
【０００７】
そのため、上記隙間を閉塞するための間隙材等が必要となり、余計なコストおよび手間がかかる。
【０００８】
また、キャビネットの後面が、机の後端と整合せず、前後にずれた状態で固定されていると、机の後端を壁面に沿わせて配置した際、キャビネット後面と壁面との間、もしくは机の後端と壁面との間に隙間が形成され、体裁が悪くなる。
【０００９】
本発明は、上記問題点に鑑みてなされたもので、机の後端にデスクトップパネルなどを立設してある場合、またはキャビネットの後面と机の後端とが前後方向に整合していない場合において、背中合わせとしたキャビネット同士の後面間や、キャビネットと壁面との間に隙間が形成されるのを防止し、見栄えを向上させうるとともに、キャビネット同士、及びそれと壁面に対する結合強度を大としうるようにした、懸架キャビネット付き机を提供することを目的としている。
【００１０】
【課題を解決するための手段】
本発明によると、上記課題は、次のようにして解決される。
（１）机の後部に立設した左右１対の支柱の上端に、両支柱同士を連結する水平支持板を設け、この水平板上に、キャビネットを前後位置調節可能として取付け、かつ机の後端に、デスクトップパネルを立設し、キャビネットを、その後面が前記デスクトップパネルの後面とほぼ同一面をなす位置、もしくはそれよりも後方に位置するように調節可能とする。
【００１１】
（２）上記(１)項において、水平板の後端と机の後端とを、ほぼ同一垂直面上に整合させる。
【００１２】
（３）上記(１)項または(２)項において、机を背中合わせに配置し、かつそれらの突合せ部の中央に、上下寸法がキャビネットの下面の高さより小さいパネルを立設したものにおいて、各机の上方におけるキャビネットを、それらの後面が前記パネルの厚さのほぼ半分の位置まで移動するように調節可能とする。
【００１３】
【発明の実施の形態】
以下、本発明の実施形態を、図面に基づいて説明する。
図１は、本発明の斜視図である。
机(１)の天板(２)の後端に立設した左右１対の支柱(３)(３)の上端に、左右に並ぶキャビネット(４)(４)が支持されている。
【００１４】
図２に示すように、各キャビネット(４)の前面開口部には、これを閉塞するためのフラップドア(５)が、図示しないガイド機構と回動アーム(６)により支持され、キャビネット(４)の上部において、ほぼ水平をなす開放位置まで跳ね上げ可能となっている。
【００１５】
各支柱(３)の上端には、前後方向を向く角筒状の水平のブラケット(７)の後部が、溶接により固着されている。
(８)は、ブラケット(７)の下面に止着された合成樹脂製のカバーである。
【００１６】
左右のブラケット(７)(７)の上面にまたがって、水平の支持板(９)が取付けられている。
【００１７】
支持板(９)の左右長は、左右に並ぶキャビネット(４)(４)の合計左右寸法とほぼ等しく、かつ前後長は、キャビネット(４)のそれよりも若干短寸であり、上向きコ字状断面の扁平な基板(9a)における前後の内底面上には、側断面形がハット状をなす前後１対の補強杆(10)(10)が、左右方向全長に亘って止着されている。
【００１８】
基板(9a)の前後の上端縁に連設された内向片(9b)(9b)の上面と、補強杆(10)(10)の上面とは、ほぼ同一面とされている。
【００１９】
支持板(９)は、各補強杆(10)における外向きのフランジ片(10a)と基板(9a)とに挿通したボルト(11)を、ブラケット(７)の上片(7a)の下面に溶接されたナット(12)に上方より螺合することにより、基板(9a)の後面がブラケット(７)の後端より若干突出するようにして、ブラケット(７)の上面に、水平に、かつ支柱(３)の中心よりも前方に偏倚した状態で固着されている。
【００２０】
左右のキャビネット(４)(４)は、その底板(4a)を支持板(９)の両側端部に載置した状態で、底板(4a)の前後の端部上面より挿入した複数のボルト(13)を、前後の補強杆(10)の下面に溶接されたナット(14)に上方より螺合することにより、支柱(３)の中心より前方に偏倚した状態で固定されている。
【００２１】
図３に拡大して示すように（前後同一構造につき、後部のみ図示する）、キャビネット(４)の底板(4a)には、前記ボルト(13)の挿通孔(15)が、前後方向に複数（実施例では３個）穿設され、それらを選択して使用することにより、キャビネット(４)の取付位置を、前後方向へ３段階に調節しうるようになっている。
【００２２】
なお、最後部の挿通孔(15)を選択して、キャビネット(４)を支持板(９)に取付けると、図２及び図３に示すように、キャビネット(４)の後面と支持板(９)の後端とが、ほぼ同一面に整合し、同じく、中間又は最前部の挿通孔(15)を選択した際には、図３の２点鎖線で示すように、挿通孔(15)のピッチ分だけ、キャビネット(４)の後面が、支持板(９)の後端より後方に突出するようになっている。
【００２３】
上記ボルト(13)の挿通孔(15)への挿入は、キャビネット(４)の底板(4a)に、ボルト(13)の頭部が挿通可能な前後方向を向く長孔(16)を形成し、この長孔(16)を通して、キャビネット(４)の内部より行うことができる。長孔(16)の不使用時は、ゴム又は合成樹脂製のキャップ(17)を止着しておけばよい。
【００２４】
上記キャビネット(４)の支持板(９)よりの後方突出寸法は、最前部の挿通孔(15)を選択したとき、例えば図４に示すように、机(１)の天板(２)の後端部に立設したデスクトップパネル(18)の厚さとほぼ等しい寸法、又はそれよりも若干大きい寸法だけ、後方に突出するようにしてある。
【００２５】
このようにすると、机(１)を壁面(19)に沿わせて設置した際、デスクトップパネル(18)の後面が壁面(19)に当接して、キャビネット(４)の後面と壁面(19)との間に隙間が形成されることがなくなり、キャビネット(４)を壁面(19)に当接させた状態で、固定金具(20)により強固に固定することができる。
【００２６】
また、中間の挿通孔(15)を選択した際のキャビネット(４)の突出寸法は、図５に示すように、天板(２)より立設された上記と同様のデスクトップパネル(18)の厚さのほぼ半分の寸法としてある。
【００２７】
このようにすると、例えば同形状の２個の机(１)(１)を、図５に示すように背中合わせにして配置した際、双方のキャビネット(４)(４)の後端面が、デスクトップパネル(18)の厚さの半分の位置において互いに当接し、側面視対称形となるため、見栄えが向上する。
【００２８】
また、前後のキャビネット(４)(４)の後面板同士を、内部よりねじ止めすることにより、それらを強固に結合することができる。
【００２９】
なお、図５のような配置とする際には、デスクトップパネル(18)を、一方の机(１)の天板(２)の後端面より起立するように取付けてもよい。
【００３０】
最後部の挿通孔(15)を選択し、キャビネット(４)の後面と支持板(９)の後端とを整合させれば、図６に示すように、キャビネット(４)の後面を、床面に設置したローパーティション(21)、もしくは壁面に当接させ、固定金具等により強固に固定することができる。
【００３１】
本発明は、上記実施形態に限定されるものではない。
上記実施形態では、３個のボルトの挿通孔(15)を穿設し、これらを選択的に使用することにより、支持板(９)に対するキャビネット(４)の前後方向の取付位置を３段階に調節しうるようにしてあるが、図７に示すように、底板(4a)に、前後方向を向く長孔(22)を設けてもよい。
【００３２】
このようにすると、支持板(９)に対するキャビネット(４)の後方への突出量を、デスクトップパネル(18)の厚さに応じて、無段階に調節することができる。
【００３３】
【発明の効果】
請求項１記載の発明によれば、壁面等に前後方向の段差が存在していても、キャビネットの後面や机の後端を、隙間なく壁面等に当接させることができ、体裁が向上するとともに、キャビネットを壁面等に強固に固定することができる。
【００３４】
また、机を壁面等に沿って配置した際に、キャビネットの後面と壁面との間に、パネルの厚さ分又はそれ以上の隙間が形成されるのが防止され、キャビネットの後面を壁面に当接させた状態で、強固に固定することができる。
【００３５】
請求項２記載の発明によれば、机を壁面等に沿って配置した際に、水平板や机の後端が壁面に当接して、キャビネットの後面と壁面との間に隙間が形成されることはなく、キャビネットを壁面に強固に固定することができる。
【００３６】
請求項３記載の発明によれば、背中合わせとなる前後のキャビネットの後面同士が互いに当接し、それらの間に隙間が形成されることがないので、キャビネット同士を強固に固定することができる。
また、机やキャビネットが、側面視において前後対称形をなして配置されるため、体裁が向上する。
【図面の簡単な説明】
【図１】  本発明の一実施形態の斜視図である。
【図２】  同じく、キャビネットの一部切欠拡大側面図である。
【図３】  同じく、図２の後端下部の拡大断面図である。
【図４】  同じく、机の後端にデスクトップパネルを立設した際のキャビネットと壁面との結合例を示す側面図である。
【図５】  同じく、机を背中合わせに配置し、デスクトップパネルの厚さの半分の位置において、各キャビネットの後面同士を結合した例を示す側面図である。
【図６】  同じく、支持板の後端とキャビネットの後面とを整合させ、キャビネットの後面をローパーティションに結合した例を示す側面図である。
【図７】  キャビネットの底板と支持板との他の取付例を示す図３と同部位の拡大断面図である。
【符号の説明】
(１)机
(２)天板
(３)支柱
(４)キャビネット
(4a)底板
(５)フラップドア
(６)回動アーム
(７)ブラケット
(7a)上片
(８)カバー
(９)水平支持板
(9a)基板
(9b)内向片
(10)補強杆
(10a)フランジ片
(11)ボルト
(12)ナット
(13)ボルト
(14)ナット
(15)挿通孔
(16)長孔
(17)キャップ
(18)デスクトップパネル
(19)壁面
(20)固定金具
(21)ローパーティション
(22)長孔
【図１】
0003690511.tif 000002
【図２】
0003690511.tif 000003
【図３】
0003690511.tif 000004
【図４】
0003690511.tif 000005
【図５】
0003690511.tif 000006
【図６】
0003690511.tif 000007
【図７】
0003690511.tif 000008